(57)【要約】 【課題】  バッテリーポストに装着する作業性を向上させるために、ネジ部材を鉛直方向に締付けることができるバッテリーターミナルを提供することを目的とする。【解決手段】  ターミナルプレート１１をバッテリーＢＴの上面に載置し、バッテリーポストＢＰをポスト挿入孔１４に挿入させる。その上に締付体１５を置いて、バッテリーポストＢＰの上方部が筒状部１６から突出するとともに、ターミナルプレート１１に取り付けられたスタッドボルト１３を、締付体１５に貫通させる。更に、電線Ｗが連結された電線接続体２０を締付体１５の上に載置する。その後、スタッドボルト１３に締付ナット１９を螺合させて、ターミナルプレート１１に締付体１５の押圧板部１７を締め付けていくと、押圧板部１７は筒状部１６に対して傾斜しているため、筒状部１６がバッテリーポストＢＰに対して傾き、その内周の互いに対向する部位で、バッテリーポストＢＰの外周面を挟圧する。【選択図】  図６
2006236901.tif 000002
【特許請求の範囲】
【請求項１】
平板上に締付ボルトが上方に向けて取り付けられるとともに、その側方にポスト挿入孔が貫通したターミナルプレート、および
バッテリーポストの外径よりも大きい内径を備えた筒状部と、この筒状部の底部に連結され、前記筒状部の軸心に対して傾斜して延びる押圧板部を有した締付体を備え、前記ターミナルプレートおよび前記締付体のうちのいずれかに、電力入出力用の電線が電気的に接続されており、
前記バッテリーポストが前記ポスト挿入孔から突出するように、前記ターミナルプレートをバッテリー上に載置し、前記バッテリーポストが前記筒状部に挿入されるとともに、前記締付ボルトが前記押圧板部を貫通するように、前記締付体を前記ターミナルプレートの上方に配置した後、前記締付ボルトにナット部材を螺合させて、前記ターミナルプレートに前記押圧板部を締め付けていくことにより、前記筒状部が前記バッテリーポストに対して傾いて、この筒状部の前記押圧板部側の下端部の内周と、前記押圧板部と離れた側の上端部の内周とで前記バッテリーポストの外周面を挟圧して保持されることを特徴とするバッテリーターミナル。
【請求項２】
平板上に締付ボルトが上方に向けて取り付けられるとともに、その側方にポスト挿入孔が貫通し、この平板上からは上方に支持部が延在して、その上端には前記ポスト挿入孔の上方に位置するように、ポスト受部が形成されたターミナルプレート、および
バッテリーポストの外径よりも大きい内径を備えた筒状部と、この筒状部の底部に連結され、前記筒状部の軸心に対して傾斜して延びる押圧板部を有した締付体を備え、前記ターミナルプレートおよび前記締付体のうちのいずれかに、電力入出力用の電線が電気的に接続されており、
前記締付体の前記押圧板部を前記ターミナルプレートの前記支持部の間に挿入した後、前記押圧板部に前記締付ボルトを貫通させて、前記締付体を前記ターミナルプレートの上方に配置し、双方を係合させた後、前記バッテリーポストが前記ポスト挿入孔および前記筒状部から突出するとともに、前記ポスト受部が前記バッテリーポストの前記締付ボルト側の面と対向するように、前記ターミナルプレートと前記締付体を前記バッテリーの上面に載置した後、前記締付ボルトにナット部材を螺合させて、前記ターミナルプレートに前記押圧板部を締め付けていくことにより、前記筒状部が前記バッテリーポストに対して傾いて、この筒状部の前記押圧板部と離れた側の内周によって、前記バッテリーポストを押圧し、前記バッテリーポストの外周面と面当たりする前記ポスト受部との間で、前記バッテリーポストの外周面を挟圧して保持されることを特徴とするバッテリーターミナル。
【請求項３】
前記筒状部の前記押圧板部と離れた側の上端部には、前記バッテリーポストの外周面と面当たりするように、面受部が形成されたことを特徴とする請求項２記載のバッテリーターミナル。
【請求項４】
前記ターミナルプレートの前記ポスト挿入孔の周囲には、前記筒状部が係合して、これが前記バッテリーポストに対して傾くための支点となる回動係合部が形成されたことを特徴とする請求項２または請求項３記載のバッテリーターミナル。
【発明の詳細な説明】
【技術分野】
【０００１】
本発明は、バッテリーのポストに締め付けるバッテリーターミナルに関する。
【背景技術】
【０００２】
従来からバッテリーの電極であるバッテリーポストに取り付けられるバッテリーターミナルとして、バッテリーポストに導電性の円弧部を嵌合させ、その円弧部の端部に連結した一対の締付片に締付ボルトを挿通させた後、ナットを螺合させ、締付ボルトをナットに対して締付けることにより、バッテリーポストに装着されるものがあった（例えば、特許文献１参照）。
【０００３】
上述した従来技術においては、バッテリーポストへ固着させる場合、締付ボルトを水平方向に締付ける必要がある。近年の自動車のエンジンルーム内は、様々な部品が密集して取り付けられており、締付ボルトを水平方向に締付けることは、他部品との干渉の問題から困難をともなう。それに対して、エンジンルームの上方は、ボルトの締付作業を妨げるものが少なく、バッテリーターミナルをバッテリーポストに装着する作業性を向上させるために、ボルトを水平方向に代えて鉛直方向に締付けるほうがよい場合が多い。
【特許文献１】実開昭５５−１２４１７３号公報（第４図）
【発明の開示】
【発明が解決しようとする課題】
【０００４】
本発明は上記のような事情に基づいて完成されたものであって、バッテリーポストに装着する作業性を向上させるために、ネジ部材を鉛直方向に締付けることができるバッテリーターミナルを提供することを目的とする。
【課題を解決するための手段】
【０００５】
上記の目的を達成するための手段として、請求項１の発明は、平板上に締付ボルトが上方に向けて取り付けられるとともに、その側方にポスト挿入孔が貫通したターミナルプレート、およびバッテリーポストの外径よりも大きい内径を備えた筒状部と、この筒状部の底部に連結され、前記筒状部の軸心に対して傾斜して延びる押圧板部を有した締付体を備え、前記ターミナルプレートおよび前記締付体のうちのいずれかに、電力入出力用の電線が電気的に接続されており、前記バッテリーポストが前記ポスト挿入孔から突出するように、前記ターミナルプレートをバッテリー上に載置し、前記バッテリーポストが前記筒状部に挿入されるとともに、前記締付ボルトが前記押圧板部を貫通するように、前記締付体を前記ターミナルプレートの上方に配置した後、前記締付ボルトにナット部材を螺合させて、前記ターミナルプレートに前記押圧板部を締め付けていくことにより、前記筒状部が前記バッテリーポストに対して傾いて、この筒状部の前記押圧板部側の下端部の内周と、前記押圧板部と離れた側の上端部の内周とで前記バッテリーポストの外周面を挟圧して保持されることを特徴とするバッテリーターミナルとした。
【０００６】
請求項２の発明は、平板上に締付ボルトが上方に向けて取り付けられるとともに、その側方にポスト挿入孔が貫通し、この平板上からは上方に支持部が延在して、その上端には前記ポスト挿入孔の上方に位置するように、ポスト受部が形成されたターミナルプレート、およびバッテリーポストの外径よりも大きい内径を備えた筒状部と、この筒状部の底部に連結され、前記筒状部の軸心に対して傾斜して延びる押圧板部を有した締付体を備え、前記ターミナルプレートおよび前記締付体のうちのいずれかに、電力入出力用の電線が電気的に接続されており、前記締付体の前記押圧板部を前記ターミナルプレートの前記支持部の間に挿入した後、前記押圧板部に前記締付ボルトを貫通させて、前記締付体を前記ターミナルプレートの上方に配置し、双方を係合させた後、前記バッテリーポストが前記ポスト挿入孔および前記筒状部から突出するとともに、前記ポスト受部が前記バッテリーポストの前記締付ボルト側の面と対向するように、前記ターミナルプレートと前記締付体を前記バッテリーの上面に載置した後、前記締付ボルトにナット部材を螺合させて、前記ターミナルプレートに前記押圧板部を締め付けていくことにより、前記筒状部が前記バッテリーポストに対して傾いて、この筒状部の前記押圧板部と離れた側の内周によって、前記バッテリーポストを押圧し、前記バッテリーポストの外周面と面当たりする前記ポスト受部との間で、前記バッテリーポストの外周面を挟圧して保持されることを特徴とするバッテリーターミナルとした。
【０００７】
請求項３の発明は、前記筒状部の前記押圧板部と離れた側の上端部には、前記バッテリーポストの外周面と面当たりするように、面受部が形成されたことを特徴とする請求項２記載のバッテリーターミナルとした。
【０００８】
請求項４の発明は、前記ターミナルプレートの前記ポスト挿入孔の周囲には、前記筒状部が係合して、これが前記バッテリーポストに対して傾くための支点となる回動係合部が形成されたことを特徴とする請求項２または請求項３記載のバッテリーターミナルとした。
【発明の効果】
【０００９】
＜請求項１の発明＞
締付ボルトにナット部材を螺合させて、ターミナルプレートに押圧板部を締め付けていくことにより、筒状部がバッテリーポストに対して傾いて、この筒状部の押圧板部側の下端部の内周と、押圧板部と離れた側の上端部の内周とでバッテリーポストの外周面を挟圧して保持される構成としたため、締付ボルトとナット部材とを上下方向に締め付けることができ、バッテリーポストに装着する際、他部品との干渉を避けて、その作業性を向上させることが可能である。
【００１０】
＜請求項２の発明＞
締付ボルトにナット部材を螺合させて、ターミナルプレートに押圧板部を締め付けていくことにより、筒状部がバッテリーポストに対して傾いて、筒状部の押圧板部と離れた側の内周によって、バッテリーポストを押圧し、バッテリーポストの外周面と面当たりするポスト受部との間で、バッテリーポストの外周面を挟圧して保持される構成としたため、締付ボルトとナット部材とを上下方向に締め付けることができ、バッテリーポストに装着する際、他部品との干渉を避けて、その作業性を向上させることが可能である。また、ポスト受部がバッテリーポストの外周面と面当たりするため、バッテリーポストの外周面を傷つけることもなく、強固に保持される。
【００１１】
＜請求項３の発明＞
筒状部の押圧板部と離れた側の上端部には、バッテリーポストの外周面と面当たりするように、面受部が形成された構成としたため、筒状部の押圧によりバッテリーポストの外周面が傷つくこともなく、バッテリーポストに強固に保持される。
【００１２】
＜請求項４の発明＞
ターミナルプレートのポスト挿入孔の周囲には、筒状部が係合して、これがバッテリーポストに対して傾くための支点となる回動係合部が形成された構成としたため、筒状部がバッテリーポストに対して傾く時の回動半径を小さくすることができ、筒状部がバッテリーポストを押圧する部位を下に下げることが可能となる。従って、筒状部がバッテリーポストの太い部位を押圧することができ、安定して保持されることができる。
【発明を実施するための最良の形態】
【００１３】
＜実施形態１＞
本発明の実施形態１を図１乃至図６によって説明する。本実施形態によるバッテリーターミナル１は、ターミナルプレート１１、締付体１５、締付ナット１９（本発明のナット部材に該当する）および電線接続体２０を備えている（図５示）。図１および図２に示すように、ターミナルプレート１１は、銅板等の導電性を有した金属によって形成された平板１２上に、スタッドボルト１３（本発明の締付ボルトに該当する）が上方に向けて延びるように固着（圧入）されており、その側方にはポスト挿入孔１４が貫通している。ポスト挿入孔１４は、バッテリーＢＴのポストＢＰ（図５示）の外径の最大部よりも、やや大きい内径を備えており、バッテリーポストＢＰが挿入自在となっている。
【００１４】
一方、図３および図４に示すように、締付体１５は、これに限られるものではないが、導電性を有する銅粉を、光造形法によって固めて一体に形成されており、上方にやや細くなったテーパ状をした筒状部１６と、これの底部に連結されたプレート状の押圧板部１７とを備えている。筒状部１６の内径はバッテリーポストＢＰの外径よりも大きく形成されており、バッテリーポストＢＰが挿入された後、バッテリーポストＢＰに対して傾けることが可能とされている。また、図３に示すように、押圧板部１７は筒状部１６の軸心ＡＬに対して傾斜しながら側方へと延びており、ターミナルプレート１１のスタッドボルト１３が貫通する挿通孔１８が形成されている。
電線接続体２０は、図５に示すように、導電性を有する金属板をＬ字状に曲げて形成されており、その平板部にはスタッドボルト１３が挿通される締付孔２１が設けられている。また、平板部から下方に曲げられた部位の端部には、バッテリーＢＴに対する電力入出力用の電線Ｗにかしめられたかしめ部２２が形成されている。電線接続体２０は、締付体１５と電線Ｗとを電気的に接続する。
【００１５】
次に、図５および図６に基づいて、バッテリーターミナル１のバッテリーポストＢＰへの取付方法について説明する。最初に、バッテリーポストＢＰがポスト挿入孔１４から突出するように、ターミナルプレート１１をバッテリーＢＴの上面に載置する（図５示）。次に、バッテリーポストＢＰが筒状部１６に挿入されて、その上方部が突出するとともに、スタッドボルト１３が押圧板部１７の挿通孔１８を貫通するように、締付体１５をターミナルプレート１１の上方に置く。更に、締付孔２１にスタッドボルト１３を挿通させて、電線接続体２０を押圧板部１７の上に載置する。
【００１６】
その後、スタッドボルト１３に締付ナット１９を螺合させて、電線接続体２０を介してターミナルプレート１１に押圧板部１７を締め付けていく。押圧板部１７は筒状部１６に対して傾斜しているため、この締め付けにより、筒状部１６が、押圧板部１７側の下端部の内周（図６においてＢ部）を中心にして、図５において時計回りに回動して、バッテリーポストＢＰに対して傾き始める。傾いた筒状部１６は、上述したＢ部と、押圧板部１７と離れた側の上端部の内周（図６においてＡ部）とで、バッテリーポストＢＰの外周面を挟圧して保持される。これにより、バッテリーポストＢＰに固定されたバッテリーターミナル１は、バッテリーポストＢＰと電線Ｗとを電気的に接続する。
【００１７】
本実施形態によれば、スタッドボルト１３に締付ナット１９を螺合させて、ターミナルプレート１１に押圧板部１７を締め付けていくことにより、筒状部１６がバッテリーポストＢＰに対して傾いて、この筒状部１６の押圧板部側の下端部の内周（Ｂ部）と、押圧板部１７と離れた側の上端部の内周（Ａ部）とでバッテリーポストＢＰの外周面を挟圧して保持される構成としたため、スタッドボルト１３と締付ナット１９とを上下方向に締め付けることができ、バッテリーポストＢＰに装着する際、エンジンルーム内の他部品との干渉を避けて、その作業性を向上させることが可能である。
【００１８】
＜実施形態２＞
次に、本発明の実施形態２を図７乃至図１３によって説明する。本実施形態によるバッテリーターミナル３は実施形態１によるものと同様に、ターミナルプレート３１、締付体３７、締付ナット１９および電線接続体２０を備えている（図１２示）。図７乃至図９に示すように、ターミナルプレート３１は、これに限られるものではないが、スタッドボルト３３を除いて、導電性を有した銅粉を光造形法によって固めて一体に形成されており、その平板部３２上に、スタッドボルト３３が上方に向けて延びるように圧入されており、その側方にはポスト挿入孔３４が貫通している。ポスト挿入孔３４は、バッテリーＢＴのポストＢＰの外径の最大部よりも、やや大きい内径を備えており、バッテリーポストＢＰが挿入自在となっている。
【００１９】
また、平板部３２からは、上方に向けて、壁状に形成された一対の支持部３５が延びており、その上端部には、ポスト挿入孔３４の上方に位置するように、ポスト受部３６が形成されている。図８に示すように、ポスト受部３６は支持部３５同士を連結するように、上方から見て円弧状に形成されており、バッテリーポストＢＰの外周面と面当たり可能なように、その内周面の曲率と上下方向の傾斜を、ともにバッテリーポストＢＰの外周面と一致させている。
【００２０】
一方、図１０および図１１に示すように、締付体３７は実施形態１によるものと同様に、導電性を有した銅粉を、光造形法によって固めて一体に形成されており、筒状部３８、これに連結された押圧板部３９および、ターミナルプレート３１のスタッドボルト３３が貫通する挿通孔４０を有している。締付体３７は、ターミナルプレート３１のポスト受部３６との干渉を避けるために、実施形態１による締付体１５に対して、筒状部３８が低く形成されている点のみが異なっている。
尚、本実施形態のバッテリーターミナル３において使用される締付ナット１９、および電線接続体２０は、実施形態１によるバッテリーターミナル１において使用されたものと同様のものである。
【００２１】
次に、図１２および図１３に基づいて、バッテリーターミナル３のバッテリーポストＢＰへの取付方法について説明する。最初に、締付体３７の押圧板部３９をターミナルプレート３１の支持部３５の間に挿入した後、押圧板部３９に形成された挿通孔４０にスタッドボルト３３を貫通させる。締付体３７をターミナルプレート３１の上方に配置し、双方を係合させた後、バッテリーポストＢＰが、ポスト挿入孔３４および筒状部３８から突出するとともに、ポスト受部３６がバッテリーポストＢＰの外周面のうち、スタッドボルト３３側と対向するように、ターミナルプレート３１と締付体３７をバッテリーＢＴの上面に載置する（図１２示）。次に、実施形態１によるバッテリーターミナル１と同様に、締付孔２１にスタッドボルト３３を挿通させて、電線接続体２０を押圧板部３９の上に載置する。
【００２２】
その後、スタッドボルト３３に締付ナット１９を螺合させて、電線接続体２０を介してターミナルプレート３１に押圧板部３９を締め付けていく。締め付けにより、筒状部３８が、押圧板部３９側の下端部（図１３においてＤ部）を中心にして、図１２において時計回りに回動して、バッテリーポストＢＰに対して傾き始める。筒状部３８が傾くと、押圧板部３９と離れた側の上端部の内周（図１３においてＣ部）によって、バッテリーポストＢＰを図１３において右方に押圧し、ターミナルプレート３１のポスト受部３６とで、バッテリーポストＢＰの外周面を挟圧して保持される。この時、ターミナルプレート３１のポスト受部３６の内周面は、バッテリーターミナルＢＰの外周面と面当たりしている。これにより、バッテリーポストＢＰに固定されたバッテリーターミナル３は、バッテリーポストＢＰと電線Ｗとを電気的に接続する。
【００２３】
本実施形態によれば、スタッドボルト３３に締付ナット１９を螺合させて、ターミナルプレート３１に押圧板部３９を締め付けていくことにより、筒状部３８がバッテリーポストＢＰに対して傾いて、筒状部３８の押圧板部３９と離れた側の上端部の内周（Ｃ部）によって、バッテリーポストＢＰを押圧し、バッテリーポストＢＰの外周面と面当たりするポスト受部３６との間で、バッテリーポストＢＰの外周面を挟圧して保持される構成としたため、スタッドボルト３３と締付ナット１９とを上下方向に締め付けることができ、バッテリーポストＢＰに装着する際、エンジンルーム内の他部品との干渉を避けて、その作業性を向上させることが可能である。また、ポスト受部３６がバッテリーポストＢＰの外周面と面当たりするため、バッテリーポストＢＰの外周面を傷つけることもなく、強固に保持される。
【００２４】
＜実施形態３＞
図１４乃至図２０は本発明の実施形態３を示す。本実施形態によるバッテリーターミナル５は実施形態１によるものと同様に、ターミナルプレート５１、締付体５７、締付ナット１９および電線接続体２０を備えている（図１９示）。図１４乃至図１６に示すように、ターミナルプレート５１は実施形態３によるターミナルプレート３１と同様に、これに限られるものではないが、スタッドボルト５３を除いて、導電性を有した銅粉を光造形法によって固めて一体に形成されており、その平板部５２上に、スタッドボルト５３が上方に向けて延びるように圧入されていて、その側方にはポスト挿入孔５４が貫通している。また、平板部５２からは、上方に向けて、壁状に形成された一対の支持部５５が延びており、その上端部には、ポスト挿入孔５４の上方に位置するように、ポスト受部５６が形成されている。ターミナルプレート５１は、実施形態３によるターミナルプレート３１に対して、ポスト受部５６の高さ方向の長さが大きく形成されている点のみが異なっている。
【００２５】
一方、図１７および図１８に示すように、締付体５７は実施形態２によるものと同様に、導電性を有した銅粉を、光造形法によって固めて一体に形成されており、筒状部５８、これに連結された押圧板部５９および、ターミナルプレート５１のスタッドボルト５３が貫通する挿通孔６０を有している。締付体５７は、実施形態２による締付体３７よりも、筒状部５８のバッテリーポストＢＰを取り囲む輪状の部位の高さが低く形成されており、その押圧板部５９と離れた側の上端部に、面受部６１が設けられている点のみが異なっている。面受部６１は、バッテリーポストＢＰの外周面と面当たり可能なように円弧状に形成され、その内周面の曲率をバッテリーポストＢＰの外周面と一致させている。
尚、本実施形態のバッテリーターミナル５において使用される締付ナット１９、および電線接続体２０は、実施形態１によるバッテリーターミナル１において使用されたものと同様のものである。
【００２６】
次に、図１９および図２０に基づいて、バッテリーターミナル５のバッテリーポストＢＰへの取付方法について説明する。最初に、実施形態２によるバッテリーターミナル３と同様に、締付体５７の押圧板部５９をターミナルプレート５１の支持部５５の間に挿入した後、押圧板部５９に形成された挿通孔６０にスタッドボルト５３を貫通させる。締付体５７をターミナルプレート５１の上方に配置し、双方を係合させた後、バッテリーポストＢＰが、ポスト挿入孔５４および筒状部５８から突出するとともに、ポスト受部５６がバッテリーポストＢＰの外周面のうち、スタッドボルト５３側と対向するように、ターミナルプレート５１と締付体５７をバッテリーＢＴの上面に載置する。次に、締付孔２１にスタッドボルト５３を挿通させて、電線接続体２０を押圧板部５９の上に載置する。
【００２７】
その後、スタッドボルト５３に締付ナット１９を螺合させて、電線接続体２０を介してターミナルプレート５１に押圧板部５９を締め付けていく。締め付けにより、筒状部５８が、押圧板部５９側の下端部（図２０においてＦ部）を中心にして、図１９において時計回りに回動して、バッテリーポストＢＰに対して傾き始める。筒状部５８が傾くと、押圧板部５９と離れた側の内周（図２０においてＥ部）によって、バッテリーポストＢＰを図２０において右方に押圧し始める。バッテリーポストＢＰに対する筒状部５８の傾きが更に大きくなると、面受部６１の内周面がバッテリーポストＢＰの外周面に当接し、ターミナルプレート５１のポスト受部５６とで、バッテリーポストＢＰの外周面を挟圧して保持される。この時、締付体５７の面受部６１と、ターミナルプレート５１のポスト受部５６の内周面は、それぞれバッテリーターミナルＢＰの外周面と面当たりしている。これにより、バッテリーポストＢＰに固定されたバッテリーターミナル５は、バッテリーポストＢＰと電線Ｗとを電気的に接続する。
【００２８】
本実施形態によれば、筒状部５８の押圧板部５９と離れた側の上端部には、バッテリーポストＢＰの外周面と面当たりするように、面受部６１が形成された構成としたため、筒状部５８の押圧によりバッテリーポストＢＰの外周面が傷つくこともなく、バッテリーポストＢＰに強固に保持される。
【００２９】
＜実施形態４＞
図２１乃至図２８は本発明の実施形態４を示す。本実施形態によるバッテリーターミナル７は実施形態１によるものと同様に、ターミナルプレート７１、締付体７８、締付ナット１９および電線接続体２０を備えている（図２７示）。図２１乃至図２３に示すように、ターミナルプレート７１は実施形態３によるターミナルプレート５１と同様に、スタッドボルト７３を除いて、導電性を有した銅粉を光造形法によって固めて一体に形成されており、その平板部７２上に、スタッドボルト７３が上方に向けて延びるように圧入されており、その側方にはポスト挿入孔７４が貫通している。また、平板部７２からは、上方に向けて一対の支持部７５が延びており、その上端部には、ポスト挿入孔７４の上方に位置するように、ポスト受部７６が形成されている。
【００３０】
図２１に示すように、支持部７５は、クランク状に屈曲しており、その下端部には、スタッドボルト７３から離れた側に、凹部７７が切り欠いて形成されている。凹部７７はポスト挿入孔７４の周囲に位置しており、本発明の回動係合部に該当し、後述するように、締付体７８の筒状部７９に形成された突出部８３が係合可能となっている。ターミナルプレート７１は、実施形態３によるターミナルプレート５１に対して、この凹部７７が形成されている点のみが異なっている。
【００３１】
一方、図２４乃至図２６に示すように、締付体７８は実施形態３によるものと同様に、導電性を有した銅粉を、光造形法によって固めて一体に形成されており、筒状部７９、これに連結された押圧板部８０および、ターミナルプレート７１のスタッドボルト７３が貫通する挿通孔８１を有しており、筒状部７９の押圧板部８０と離れた側の上端部に、面受部８２が設けられている。面受部８２は、バッテリーポストＢＰの外周面と面当たり可能なように円弧状に形成され、その内周面の曲率をバッテリーポストＢＰの外周面と一致させている。
更に、本実施形態における締付体７８には、筒状部７９の押圧板部８０との連結部位に一対の突出部８３が形成されている。突出部８３は、筒状部７９の円周上の互いに対向する位置から、外方に向けて円柱状に突出しており、上述したターミナルプレート７１の凹部７７が係合可能となっている。締付体７８は、実施形態３による締付体５７に対して、突出部８３が形成されている点のみが異なっている。
尚、本実施形態のバッテリーターミナル７において使用される締付ナット１９、および電線接続体２０も、実施形態１によるバッテリーターミナル１において使用されたものと同様のものである。
【００３２】
次に、図２７および図２８に基づいて、バッテリーターミナル７のバッテリーポストＢＰへの取付方法について説明する。最初に、締付体７８の押圧板部８０をターミナルプレート７１の支持部７５の間に挿入した後、押圧板部８０に形成された挿通孔８１にスタッドボルト７３を貫通させると同時に、突出部８３をターミナルプレート７１の凹部７７に係合させる。締付体７８をターミナルプレート７１の上方に配置し、双方を係合させた後、実施形態２によるバッテリーターミナル３と同様に、バッテリーポストＢＰが、ポスト挿入孔７４および筒状部７９から突出するとともに、ポスト受部７６がバッテリーポストＢＰの外周面のうち、スタッドボルト７３側と対向するように、ターミナルプレート７１と締付体７８をバッテリーＢＴの上面に載置する。次に、締付孔２１にスタッドボルト７３を挿通させて、電線接続体２０を押圧板部８０の上に載置する。
【００３３】
その後、スタッドボルト７３に締付ナット１９を螺合させて、電線接続体２０を介してターミナルプレート７１に押圧板部８０を締め付けていく。締め付けにより、筒状部７９が、凹部７７と係合した突出部８３を中心にして、図２７において時計回りに回動して、バッテリーポストＢＰに対して傾き始める。筒状部７９が凹部７７を支点として傾くと、押圧板部８０と離れた側の内周（図２８においてＧ部）によって、バッテリーポストＢＰを図２８において右方に押圧し始める。バッテリーポストＢＰに対する筒状部７９の傾きが更に大きくなると、面受部８２の内周面がバッテリーポストＢＰの外周面に当接し、ターミナルプレート７１のポスト受部７６とで、バッテリーポストＢＰの外周面を挟圧して保持される。この時、締付体７８の面受部８２と、ターミナルプレート７１のポスト受部７６の内周面は、それぞれバッテリーターミナルＢＰの外周面と面当たりしている。これにより、バッテリーポストＢＰに固定されたバッテリーターミナル７は、バッテリーポストＢＰと電線Ｗとを電気的に接続する。
【００３４】
本実施形態によれば、ターミナルプレート７１のポスト挿入孔７４の周囲には、筒状部７８の突出部８３が係合して、筒状部７８がバッテリーポストＢＰに対して傾くための支点となる凹部７７が形成された構成としたため、筒状部７８がバッテリーポストＢＰに対して傾く時の回動半径を小さくすることができ（図２８に示した突出部８３と面受部８２との間の距離は、図２０に示したＦ部と面受部６１との間の距離よりも短い）、筒状部７８の回動によって面受部８２がそれほど上方まで行くことはなく、バッテリーポストＢＰを押圧する部位を下に下げることが可能となる。従って、面受部８２がバッテリーポストＢＰの太い部位を押圧することができ、安定して保持されることができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）実施形態３による締付体５７の面受部６１を、実施形態１によるバッテリーターミナル１の締付体１５に設けてもよい。
（２）実施形態４によるターミナルプレート７１の凹部７７および締付体７８の突出部８３を、それぞれ実施形態２によるバッテリーターミナル３のターミナルプレート３１および締付体３７に設けてもよい。
（３）電力入出力用の電線Ｗを、ターミナルプレート１１あるいは締付体１５に直接接続してもよい。
（４）スタッドボルト１３は、ターミナルプレート１１の平板１２を下方から貫通させて取り付けてもよい。
（５）ターミナルプレート７１の凹部７７と、締付体７８の突出部８３は、互いに係合して締付体７８が傾斜するための支点となることができれば、それぞれ任意の形状が可能である。
【図面の簡単な説明】
【００３６】
【図１】実施形態１によるターミナルプレートの側面図である。
【図２】図１の上面図である。
【図３】実施形態１による締付体の側面図である。
【図４】図３の上面図である。
【図５】実施形態１によるバッテリーターミナルの分解側面図である。
【図６】図５に示したバッテリーターミナルをバッテリーポストに固定したところを表した側面図である。
【図７】実施形態２によるターミナルプレートの側面図である。
【図８】図７の上面図である。
【図９】図７の右側面図である。
【図１０】実施形態２による締付体の側面図である。
【図１１】図１０の上面図である。
【図１２】実施形態２によるバッテリーターミナルをバッテリーに載置した後、固定する前の側面図である。
【図１３】図１２に示したバッテリーターミナルをバッテリーポストに固定したところを表した側面図である。
【図１４】実施形態３によるターミナルプレートの側面図である。
【図１５】図１４の上面図である。
【図１６】図１４の右側面図である。
【図１７】実施形態３による締付体の側面図である。
【図１８】図１７の上面図である。
【図１９】実施形態３によるバッテリーターミナルをバッテリーに載置した後、固定する前の側面図である。
【図２０】図１９に示したバッテリーターミナルをバッテリーポストに固定したところを表した側面図である。
【図２１】実施形態４によるターミナルプレートの側面図である。
【図２２】図２１の上面図である。
【図２３】図２１の右側面図である。
【図２４】実施形態４による締付体の側面図である。
【図２５】図２４の上面図である。
【図２６】図２４の右側面図である。
【図２７】実施形態４によるバッテリーターミナルをバッテリーに載置した後、固定する前の側面図である。
【図２８】図２７に示したバッテリーターミナルをバッテリーポストに固定したところを表した側面図である。
【符号の説明】
【００３７】
１、３、５、７…バッテリーターミナル
１１、３１、５１、７１…ターミナルプレート
１２…平板
１３、３３、５３、７３…スタッドボルト
１４、３４、５４、７４…ポスト挿入孔
１５、３７、５７、７８…締付体
１６、３８、５８、７９…筒状部
１７、３９、５９、８０…押圧板部
１９…締付ナット
３２、５２、７２…平板部
３５、５５、７５…支持部
３６、５６、７６…ポスト受部
６１、８２…面受部
７７…凹部
ＢＴ…バッテリー
ＢＰ…バッテリーポスト
Ｗ…電線
【図１】
2006236901.tif 000003
【図２】
2006236901.tif 000004
【図３】
2006236901.tif 000005
【図４】
2006236901.tif 000006
【図５】
2006236901.tif 000007
【図６】
2006236901.tif 000008
【図７】
2006236901.tif 000009
【図８】
2006236901.tif 000010
【図９】
2006236901.tif 000011
【図１０】
2006236901.tif 000012
【図１１】
2006236901.tif 000013
【図１２】
2006236901.tif 000014
【図１３】
2006236901.tif 000015
【図１４】
2006236901.tif 000016
【図１５】
2006236901.tif 000017
【図１６】
2006236901.tif 000018
【図１７】
2006236901.tif 000019
【図１８】
2006236901.tif 000020
【図１９】
2006236901.tif 000021
【図２０】
2006236901.tif 000022
【図２１】
2006236901.tif 000023
【図２２】
2006236901.tif 000024
【図２３】
2006236901.tif 000025
【図２４】
2006236901.tif 000026
【図２５】
2006236901.tif 000027
【図２６】
2006236901.tif 000028
【図２７】
2006236901.tif 000029
【図２８】
2006236901.tif 000030